(57)【特許請求の範囲】
【請求項１】
ディスクケース内にディスクを収納して成るディスクパッケージを製造するための方法であって、
ディスクを収容支持するトレーを裏返しの状態で所定の位置及び向きに支持するトレー供給工程と、
前記トレーに対してケース筐体を構成するための単葉のカバーを供給するカバー供給工程と、
前記カバー所定部位を前記トレーに固定して一体化するカバー結合工程と、
前記トレーを前記カバーと共に上下反転するトレー反転工程と、
前記カバー所定部位に対してブックレットを供給して挿着するブックレット供給工程と、
前記トレーに対してディスクを供給して所定位置に固定するディスク供給工程と、
前記カバーを折曲してケース筐体を形成するケース形成工程と、
を備えるものにおいて、
前記カバー結合工程では、前記トレーの底部両側にヒンジ結合した固定片の複数の突起を前記カバーに設けた穴部に係合させ、前記カバーを前記トレーに一体化することを特徴とする、ディスクパッケージの製造方法。
【請求項２】
ディスクパッケージの各構成部品を搬送コンベア上に順次供給して、該搬送コンベアを順次所定ピッチで間欠送りしながら、前記各工程に対応する前記搬送コンベア上の工程部において前記ディスクをパッケージングすることを特徴とする、請求項１に記載のディスクパッケージの製造方法。
【請求項３】
前記ブックレット供給工程において、ブックレット供給部から取り出した前記ブックレットを、前記カバーに形成された袋状収納部に向けてスライド移動させ、該袋状収納部内の口部より挿入することを特徴とする、請求項１又は２に記載のディスクパッケージの製造方法。
【請求項４】
前記ケース形成工程において、前記カバーの所定部位に予め形成された折目に沿って該カバーを折曲することを特徴とする、請求項１又は２に記載のディスクパッケージの製造方法。
【請求項５】
前記ディスクパッケージの不良品を前記搬送コンベアから排出する工程を、更に含むことを特徴とする、請求項１〜４のいずれか１項に記載のディスクパッケージの製造方法。
【発明の詳細な説明】
【０００１】
【発明の属する技術分野】
本発明は、所謂コンパクトディスク（ＣＤ）、或いはデジタルビデオディスク（ＤＶＤ）等の光ディスクを所定のケースにパッケージングして、ディスクパッケージを製造するための方法に関する。
【０００２】
【従来の技術】
オーディオ又はビデオの情報記録媒体として用いられる光ディスクは通常、その製造後パッケージング工程で所定のケース内にパッケージングされる。このようにパッケージングしたもの（ディスクパッケージという）が最終製品となり、この状態で出荷或いは保管される。
ディスク使用時にはケースから取り出して、プレーヤシステム側に装着されると共に、使用後は再びケース内に収納される。
【０００３】
ＤＶＤは近年、映像情報の大容量記録媒体として注目されており、このＤＶＤを所定のケース内に収納して成るディスクパッケージを製造するに際し、複数の部品が所定の順序で組付けられるようになっている。
【０００４】
【発明が解決しようとする課題】
従来ではこの組付工程を手作業、或いはその一部を自動化して行っていた。プラスチック製或いは紙製の複数の部品は、それぞれ異なる形状等を有し、しかも高い組付精度で組付けられる。
そして、この細かく複雑な組付作業にはかなりの工数が必要となり、またこれを容易に自動化することが困難であった。
【０００５】
本発明はかかる実情に鑑み、この種のディスクを効率良く、しかも的確にパッケージングするディスクパッケージの製造方法を提供することを目的とする。
【０００６】
【課題を解決するための手段】
しかして、本発明者等は、このような課題に対して、鋭意研究を重ねて結果、異なる構成部品の形状等の特徴を活かして、各部品を順次組付けることでパッケージングの完全自動化を図り得ることを見い出し、この知見に基づいて本発明を完成させたものである。
【０００７】
即ち本発明は、（１）、ディスクケース内にディスクを収納して成るディスクパッケージを製造するための方法であって、ディスクを収容支持するトレーを裏返しの状態で所定の位置及び向きに支持するトレー供給工程と、前記トレーに対してケース筐体を構成するための単葉のカバーを供給するカバー供給工程と、前記カバー所定部位を前記トレーに固定して一体化するカバー結合工程と、前記トレーを前記カバーと共に上下反転するトレー反転工程と、前記カバー所定部位に対してブックレットを供給して挿着するブックレット供給工程と、前記トレーに対してディスクを供給して所定位置に固定するディスク供給工程と、前記カバーを折曲してケース筐体を形成するケース形成工程と、を備えるものにおいて、前記カバー結合工程では、前記トレーの底部両側にヒンジ結合した固定片の複数の突起を前記カバーに設けた穴部に係合させ、前記カバーを前記トレーに一体化するディスクパッケージの製造方法に存する。
【０００８】
そして、（２）、ディスクパッケージの各構成部品を搬送コンベア上に順次供給して、該搬送コンベアを順次所定ピッチで間欠送りしながら、前記各工程に対応する前記搬送コンベア上の工程部にて前記ディスクをパッケージングする上記（１）のディスクパッケージの製造方法に存する。
【００１０】
そしてまた、（３）、前記ブックレット供給工程において、ブックレット供給部から取り出した前記ブックレットを、前記カバーに形成された袋状収納部に向けてスライド移動させ、該袋状収納部内の口部より挿入する、上記（１）又は（２）に記載のディスクパッケージの製造方法に存する。
【００１１】
そしてまた、（４）、前記ケース形成工程において、前記カバーの所定部位に予め形成された折目に沿って該カバーを折曲する、上記（１）又は（２）に記載のディスクパッケージの製造方法に存する。
【００１２】
そしてまた、（５）、前記ディスクパッケージの不良品を前記搬送コンベアから排出する工程を、更に含む、上記（１）〜（４）のいずれか１項に記載のディスクパッケージの製造方法に存する。
【００１３】
本発明によれば、ディスクパッケージの各構成部品を搬送コンベア上に順次供給して、該搬送コンベアを順次所定ピッチで間欠送りしながら、搬送コンベア上の各工程部にてディスクをパッケージングする。
各工程部において形状及び材質等が異なる複数の構成部品の形状等の特徴を活用して、それらを円滑且つ的確に組み付け、極めて効率良くディスクパッケージングを製造することができる。
【００１４】
【発明の実施の形態】
以下、図面に基づき、本発明によるディスクパッケージの製造方法の好適な実施の形態を説明する。
図１は本発明方法によって製造されるディスクパッケージを示している。このディスクパッケージにおいて、トレー１の所定位置にディスク２が収納固定されると共に、トレー１に対してカバー３が開閉可能に付設されている。
【００１５】
更に、図２はこの実施形態におけるディスクパッケージの構成例を詳細に示している。
トレー１はプラスチック材料により偏平な概略箱型に形成され、その所定部位にディスク２を収納するための保持部１ａを有している。
カバー３は、それ自身の平坦形状を保持し得る剛性を有する所謂コシのある厚紙ボードで成る。
【００１６】
カバー３を形成する厚紙ボードは折目３ａ，３ｂを介して３つ折可能に、即ち３つの領域３Ａ，３Ｂ，３Ｃを形成するように構成されている。
カバー３は領域３Ａにて、トレー１の外側底面に取付固定される。
トレー１の底部両側にはカバー３を取付固定するための一対の固定片１ｂがヒンジ結合している。
折目３ａ，３ｂに沿って折り曲げることで、カバー３の一部（領域３Ｂ，３Ｃ）がトレー１と閉合するようになっている。
【００１７】
トレー１の一辺に沿って即ち一対の固定片１ｂの間には該トレー１に閉合したカバー３をロックするためのロック片１ｃがヒンジ結合している。
カバー３はまた、その領域３Ｃにて薄い小冊子状のブックレット４を収納するための袋状収納部であるポケット３ｃを有している。
【００１８】
図３及び図４は、本発明方法に使用するパッケージング装置１０の全体概略構成を示している。
このパッケージング装置１０は、所定ピッチで間欠駆動される搬送コンベア１１が水平配置されている。
該搬送コンベア１１にディスクパッケージの複数の構成部品を順次供給しながら、これらの部品を所定順序で組み付けつつ装置の長手方向Ｌに沿って搬送するようになっている。
【００１９】
図５に示すようにパッケージング装置１０において、搬送コンベア１１の進行方向に沿って、ディスク２をパッケージングするための複数の工程部（Ａ）〜（Ｋ）を備えている。
これらの工程部（Ａ）〜（Ｋ）は、搬送コンベア１１の搬送ピッチ間隔で配置され、各工程部の主な工程内容は次の通りである。
【００２０】
工程部（Ａ）  ；トレー供給
工程部（Ｂ）  ；固定片開き
工程部（Ｃ）  ；カバー供給及び固定片閉じ
工程部（Ｄ）  ；カバー結合
工程部（Ｅ）  ；トレー反転
工程部（Ｆ）  ；ブックレット供給
工程部（Ｇ）  ；ブックレット押込
工程部（Ｈ）  ；ディスク供給
工程部（Ｉ1 ）；ケース形成（カバー折曲）
工程部（Ｉ2 ）；ケース形成（カバー折曲・閉合）
工程部（Ｊ）  ；不良品排出
工程部（Ｋ1 ）；良品ストック
工程部（Ｋ2 ）；良品ストック
【００２１】
先ず、工程部（Ａ）では、トレー１を搬送コンベア１１に供給し、この供給されたトレー１が順次所定ピッチで間欠送りされ始める。
トレー１は搬送コンベア１１の手前に設置されているトレー供給部から図示しないチャック又はパッドを使って移載されるが、保持部１ａがパッケージング装置１０の長手方向Ｌに沿ったコンベア搬送方向側に位置する向きで搬送コンベア１１に供給される（図６参照）。
この場合トレー１は裏返しの状態で搬送コンベア１１上に移載される。
このように搬送コンベア１１に供給されたトレー１は、水平に支持されると共にガタつかないように位置規制される。
【００２２】
次に、工程部（Ｂ）では、搬送コンベア１１上で裏返しにされているトレー１の両サイドの固定片１ｂを開く。
この場合、図６のようにトレー１の底部両側にヒンジ結合している固定片１ｂに爪部材１００を押し当て、爪部材１００によって固定片１ｂを内側から外側へ押し広げるように移動させる。
これにより固定片１ｂは図示のように開いて、その状態に保持される。
【００２３】
次に、工程部（Ｃ）では、搬送コンベア１１側部に設置されているカバー供給部から、図示しないチャック又はパッドを使って図５の矢印Ｍのようにカバー３が供給される。
この場合、カバー３の領域３Ａが、トレー１の裏面と整合するように供給される。
ここで、図７に示されるようにカバー３には、その領域３Ａの両側縁に沿って複数の穴部３ｄが設けられている。
一方、トレー１の各固定片１ｂは、カバー３の穴部３ｄに対応する突起１ｄを有している。
この工程部（Ｃ）において更に、図７のようにカバー３を供給後、開いている固定片１ｂを図示しない爪部材により内側に回動させる（図７、矢印参照）。
【００２４】
次に、工程部（Ｄ）では、トレー１の底部両側にヒンジ結合した固定片１ｂの複数の突起１ｄをカバー３に設けた穴部３ｄに係合させ、これによりカバー３をトレー１と一体化する。
この場合、トレー１の各固定片１ｂを内側に畳み込み、更に図８に示すように各固定片１ｂを上側から適度な力で押圧する。
【００２５】
次に、工程部（Ｅ）では、トレー１をこれに結合一体化しているカバー３と共に図示しない把持部材を使って上下反転させる（図５、矢印Ｎ）。
すなわち、今まで裏返しになっていたのを表返しにするのである。
このようにトレー１を上下反転することにより、図９に示したようにトレー１におけるディスク２を収納するための保持部１ａが上側に配置される。
なお、図９においても、トレー１及びカバー３は、ケージング装置１０の長手方向Ｌに沿って搬送される。
【００２６】
次に、工程部（Ｆ）では、カバー３の領域３Ｃに設けられているポケット３ｃに対して、ブックレット４を供給して挿着する。
ブックレット４は、搬送コンベア１１側部に設置されているブックレット供給部から図示しないチャック又はパッド把持部材により取り出され、図５の矢印Ｏのように供給される。
前述のようにブックレット４は、薄い小冊子状の形態をなしている。
そのようなブックレット４の背部側を前にして、該ブックレット４をカバー３の袋状収納部、即ちポケット３ｃに向けて、図１０の矢印のようにスライド移動させる。この場合、ブックレット４の背部側が僅かに前下がり姿勢となるように移動させることで、ブックレット４をポケット３ｃの口部より適正且つ円滑に挿入することができる。
【００２７】
次に、工程部（Ｇ）では、ポケット３ｃに挿着されたブックレット４を更に奥まで押し込む。つまり図５の矢印Ｐのようにブックレット４をポケット３ｃの角部に向けて斜め方向にスライド移動させる。
これによりブックレット４は、ポケット３ｃの奥の方までぴったりと挿入される。
【００２８】
次に、工程部（Ｈ）では、トレー１に対してディスク２を供給して所定位置に固定する。
ディスク２は、図示しない吸着チャックを使って搬送コンベア１１側部に設置されているディスク供給部から、図５の矢印Ｑのように供給される。
この場合、ディスク２の中心穴２ａ（図２参照）の周辺部適所を吸着保持し、搬送コンベア１１上で待機しているトレー１の保持部１ａへ移動させる。
トレー１の保持部１ａの中央部には、ディスク２の中心穴２ａと係合可能な係合突起１ｅ（図２参照）が設けられている。
吸着チャックの一部で係合突起１ｅを撓ませるながら縮径させることにより、ディスク２の中心穴２ａに容易に係合させることができる。
これによりディスク２は、図１１のようにトレー１の保持部１ａに適正に固定される。
【００２９】
次に、工程部（Ｉ1 ）及び（Ｉ2 ）では、カバー３の所定部位に予め形成された折目３ａ，３ｂに沿ってカバー３を折曲してケース筐体を形成する。
先ず、工程部（Ｉ1 ）において、図示しない折り曲げ部材を使ってカバー３を折目３ｂに沿って折曲する。
この場合、カバー３の領域３Ｂを浮き上がらないように固定しながら、領域３Ｃを図１２の矢印のように回動させて領域３Ｂ側へ折り畳む。
その後、更に、図１３の矢印のように領域３Ｂを回動させてカバー３を折目３ａに沿って折曲する。
この時、図示しない爪部材によりロック片１ｃを矢印のごとく開いてやる。
その後、相互に重合した領域３Ｂ及び領域３Ｃをトレー１に閉合させる。
【００３０】
このようにカバー３の所定部位を折曲することにより、ディスク２を収納するケース筐体が形成される。
なお、トレー１に閉合したカバー３は、図１４に示すように、今度はロック片１ｃを矢印のように回動させ、その突出部をカバー３の切り欠き部１ｆに掛止させることで閉合状態に保持される。
従って、カバー３が不用意に開いて内部のディスク２或いはブックレット４が脱落する等の危険がない。
【００３１】
更に、工程部（Ｊ）では、かくして製造されたディスクパッケージの良否を判別して、不良品として判断されたものは搬送コンベア１１から排出される。
また、工程部（Ｋ1 ）及び工程部（Ｋ2 ）では、良品と判断されたディスクパッケージを所定のストッカーＳにストックする。
ストックされたディスクパッケージは、適宜、次の工程へ搬出される。
【００３２】
このように本発明方法によれば、パッケージング装置１０において、搬送コンベア１１に沿って設定した複数の工程部（Ａ）〜（Ｋ）にてトレー１、ディスク２、カバー３及びブックレット４が順次自動的に組み付けられる。
各工程部において、装置は的確に作動して各構成部品を適正に組み付けることができ、最終製品であるディスクパッケージを効率良く得ることができる。
【００３３】
以上、本発明を説明してきたが、本発明は実施形態にのみ限定されるものではなく、その本質から逸脱しない範囲で、他の色々な変形例が可能であることは言うまでもない。
例えば、この種のディスクパッケージにおいては、カバーを形成する厚紙ボードは１つの折目が形成されているものがあり、そのようなタイプのカバーを使用する場合でも本発明を有効に適用可能である。
また、ディスクパッケージの組み付け工程における各作動は、通常使用されているチャック、パッド、把持部材、折り曲げ部材、爪部材等を使うことにより十分達成できる。
【００３４】
【発明の効果】
以上説明したように本発明によれば、この種の製品のパッケージング方法において、搬送コンベアに沿って複数の工程部を設定し、各工程部にて構成部品を順次供給しながら組み付ける。
その際各工程部において形状及び材質等が異なる複数の構成部品の形状等の特徴を活用して、ほぼ完全自動化で正確に組み付けることができる。
これにより人手による組付工数を大幅に減少すると共に、後組付を防止することで高い品質を保証する等の利点を有している。
【図面の簡単な説明】
【図１】図１は、本発明方法によって製造されるディスクパッケージを示す斜視図である。
【図２】図２は、本発明にかかるディスクパッケージの構成例を詳細に示す斜視図である。
【図３】図３は、本発明方法に使用するパッケージング装置の概略平面図である。
【図４】図４は、本発明方法に使用するパッケージング装置の概略側面図である。
【図５】図５は、本発明方法に全工程の構成例を示す平面図である。
【図６】図６は、本発明方法におけるトレーの固定片開き工程を示す斜視図である。
【図７】図７は、本発明方法におけるカバー供給工程を示す斜視図である。
【図８】図８は、本発明方法におけるカバー結合工程を示す斜視図である。
【図９】図９は、本発明方法におけるトレー反転工程（反転後）を示す斜視図である。
【図１０】図１０は、本発明方法におけるブックレット供給工程を示す斜視図である。
【図１１】図１１は、本発明方法におけるディスク供給工程を示す斜視図である。
【図１２】図１２は、本発明方法におけるカバー折曲工程を示す斜視図である。
【図１３】図１３は、本発明方法におけるカバー折曲工程を示す斜視図である。
【図１４】図１４は、本発明方法におけるカバー閉合工程を示す斜視図である。
【符号の説明】
１…トレー
１ａ…保持部
１ｂ…固定片
１ｃ…ロック片
１ｄ…突起
１ｅ…係合突起
２…ディスク
２ａ…中心穴
３…カバー
３ａ，３ｂ…折目
３Ａ，３Ｂ，３Ｃ…領域
４…ブックレット
１０…パッケージング装置
１００…爪部材
ｆ…切り欠き部
Ｓ…ストッカ
【図１】
0003692202.tif 000002
【図２】
0003692202.tif 000003
【図３】
0003692202.tif 000004
【図４】
0003692202.tif 000005
【図５】
0003692202.tif 000006
【図６】
0003692202.tif 000007
【図７】
0003692202.tif 000008
【図８】
0003692202.tif 000009
【図９】
0003692202.tif 000010
【図１０】
0003692202.tif 000011
【図１１】
0003692202.tif 000012
【図１２】
0003692202.tif 000013
【図１３】
0003692202.tif 000014
【図１４】
0003692202.tif 000015